(57)【要約】  【課題】ダミー本体を自動販売機のステージに確実に固定できるとともに、抜き差しが容易な構造を提供すること。  【解決手段】本発明の自動販売機用ダミーは、ステージに形成された装着孔に差し込む小径部と、小径部の上部に隣接して形成されてステージの上面に当接する上面当接部と、小径部の下部に形成されてステージの下面に当接する下面当接部と、小径部に拡径方向に僅かに膨出させて凸設された複数の凸部とが形成され、上面当接部と下面当接部とでステージを挟持し、複数の凸部の少なくとも何れか１つでステージに対して位置決めをするように構成されている。なお、下面当接部は、上面当接部とほぼ平行に形成された３つの凸条とし、１つの凸状は中央前部に配設され、２つの凸状は左右側部に配設されている。【選択図】      図３
2006323641.tif 000002
【特許請求の範囲】
【請求項１】
商品名等の図が表示された表示部と、自動販売機のステージに装着するための装着部とを備えた自動販売機用ダミーであって、
前記装着部は、当該自動販売機用ダミーの下部に形成されているとともに、
前記ステージに形成された装着孔に差し込む小径部と、
前記小径部の上部に隣接して形成されて前記ステージの上面に当接する上面当接部と、
前記小径部の下部に形成されて前記ステージの下面に当接する下面当接部と、
前記小径部に拡径方向に僅かに膨出させて凸設された複数の凸部と、
が形成され、
前記上面当接部と下面当接部とで前記ステージを挟持し、
前記複数の凸部の少なくとも何れか１つで前記ステージに対して自動販売機用ダミーを位置決めをするように構成されていることを特徴とする自動販売機用ダミー。
【請求項２】
前記下面当接部は、複数の部分に分割形成されていることを特徴とする請求項１に記載の自動販売機用ダミー。
【請求項３】
前記下面当接部は、複数の突起から構成されていることを特徴とする請求項２に記載の自動販売機用ダミー。
【請求項４】
前記上面当接部と何れかの下面当接部の間隔は、前記上面当接部と他の下面当接部の間隔とは異なる間隔としたことを特徴とする請求項２または３の何れかに記載の自動販売機用ダミー。
【請求項５】
前記下面当接部は、前記上面当接部とほぼ平行に形成された凸条としたことを特徴とする請求項１または２の何れかに記載の自動販売機用ダミー。
【請求項６】
前記下面当接部は、前記上面当接部とほぼ平行に形成された３つの凸条とし、１つの凸状は中央前部に配設され、２つの凸状は左右側部に配設されていることを特徴とする請求項５に記載の自動販売機用ダミー。
【発明の詳細な説明】
【技術分野】
【０００１】
本発明は、清涼飲料、コーヒー、お茶、水などの飲料水の自動販売機に用いられる見本の缶やボトル（以下、自動販売機用ダミーと称する）に関する。
【背景技術】
【０００２】
従来、清涼飲料、コーヒー等の自動販売機には、実物の缶やボトルと同様の形状のプラスチック製などのダミーを展示ステージに取付け、後方又は下方、或いは正面前方又は正面上方から照明装置からの光をダミーに導入して該ダミーの照明を行っているのが通常である。
【０００３】
上記ダミーは、プラスチック製などの円筒形状に形成されたダミーを、自動販売機のステージ（ダミー取り付け台）に差し込んで固定するように構成されているものがある。
前記ダミーの表面には、商品と同じような図柄がプリントされており、このダミーの下部をステージの孔に差し込むように構成されている。
ダミーの下部には、ステージの孔に確実に係止されるとともに、交換するときの差し替え作業が容易に行えるように、係止構造が形成されている。
【０００４】
ダミーの下部に形成された係止構造は、ステージの孔の構造に応じて凹凸構造が形成されており、その凹凸構造がステージの孔の内縁の凹凸構造と係合することによって、ダミーがステージに確実に固定されるように構成されている。また、半円筒状のダミー本体と下部の係止構造を一体成形するために、前記凹凸構造もダミー本体と同じように薄いプラスチクで構成されている場合がある。
【発明の開示】
【発明が解決しようとする課題】
【０００５】
しかしながら、上記のように構成されたダミーにおいては、ダミー本体を差し替えするために抜き差しするときに、ぐらつきやすく不安定であるという問題があった。
【０００６】
本発明は、上記問題点を解決するためになされたものであり、ダミー本体を自動販売機のステージに確実に固定できるとともに、抜き差しが容易な構造を提供することを目的とする。
【課題を解決するための手段】
【０００７】
上記目的を達成するために、請求項１の発明は、商品名等の図が表示された表示部と、自動販売機のステージに装着するための装着部とを備えた自動販売機用ダミーであって、前記装着部は、当該自動販売機用ダミーの下部に形成されているとともに、前記ステージに形成された装着孔に差し込む小径部と、前記小径部の上部に隣接して形成されて前記ステージの上面に当接する上面当接部と、前記小径部の下部に形成されて前記ステージの下面に当接する下面当接部と、前記小径部に拡径方向に僅かに膨出させて凸設された複数の凸部と、が形成され、前記上面当接部と下面当接部とで前記ステージを挟持し、前記複数の凸部の少なくとも何れか１つで前記ステージに対して位置決めをするように構成されている。
請求項２では、前記下面当接部は、複数の部分に分割形成されている。
請求項３では、前記下面当接部は、複数の突起から構成されている。
請求項４では、前記上面当接部と何れかの下面当接部の間隔は、他の間隔とは異なる間隔とした。
請求項５では、前記下面当接部は、前記上面当接部とほぼ平行に形成された凸条とした。
請求項６では、前記下面当接部は、前記上面当接部とほぼ平行に形成された３つの凸条とし、１つの凸状は中央前部に配設され、２つの凸状は左右側部に配設されている。
【発明の効果】
【０００８】
本発明によれば、装着部は当該自動販売機用ダミーの下部に形成され、前記ステージに形成された装着孔に差し込む小径部と、前記小径部の上部に隣接して形成されて前記ステージの上面に当接する上面当接部と、前記小径部の下部に形成されて前記ステージの下面に当接する下面当接部と、前記小径部に拡径方向に僅かに帽出させて凸設された複数の凸部と、が形成され、前記上面当接部と下面当接部とで前記ステージを挟持し、前記複数の凸部の少なくとも何れか１つで前記ステージに対して位置決めをするように構成されているので、ステージへの着脱および装着した場合の位置決めが容易であるので、自動販売機用ダミーを確実に装着できるとともに、装着作業の作業性が改善されるという効果が得られる。
【発明を実施するための最良の形態】
【０００９】
以下に、本発明にかかる自動販売機用ダミーについて、その実施の形態を示した図面に基づいて詳細に説明する。
図１は本発明の自動販売機用ダミーのひとつの実施形態を示す一部省略正面図、図２はその側面図、図３は平面断面図である。
これらの図に示すように、本発明の自動販売機用ダミー１は、例えば略半円筒状の表示部２と、表示部２の下部に形成され、自動販売機のステージＳに形成された装着孔Ｈに差し込む小径部３とを備えている。
【００１０】
前記小径部３は、前記小径部３の上部に隣接して形成されて前記ステージＳの上面に当接する上面当接部４と、前記小径部３の下部に形成されて前記ステージＳの下面に当接する下面当接部５と、前記小径部３の一部を拡径方向に僅かに膨出させて凸設された複数の凸部61、62と段差63、64とが形成されている。
そして、前記上面当接部４と下面当接部５とで前記ステージＳを上下から挟んで支持し、前記複数の凸部61、62、及び段差63、64の少なくとも何れか１つが、前記ステージＳの装着孔Ｈの内縁の凹凸構造と係合して、前記ステージＳに対する自動販売機用ダミー１の位置決めをするように構成されている。なお、前記前記複数の凸部61、62、及び段差63、64の全てを備えていなくても、少なくとも何れか１つを備えて位置決めできればよい。
【００１１】
次に、前記下面当接部の種々の実施例を説明する。
第１の実施例では、図１、２、３（ａ）に示したように、下面当接部５は３つの部分51、52、53に分割形成されている。左右の当接部51、53は当該自動販売機用ダミー１の左右へのぐらつきを防止するためにステージに当接して支持するものである。そして、中央前部の当接部52は当該自動販売機用ダミー１の前後へのぐらつきを防止するためにステージに当接して支持するものである。
前記下面当接部５の３つの部分51、52、53は、それぞれ上面当接部とほぼ平行な上面を持った凸条で形成されている。
図１５の（ａ）に示したように、これらの３つの部分51、52、53の下面には、変形を防止するために複数の凸条のリブ526、527を設けるとよい。
また、これらは、３つの部分に分割構成せずに、一連の凸条で形成してもよい。また、図１５の（ｂ）、（ｃ）に示したように、図中の縦方向に２分割構成（符号523、524参照。）したり、図１５の（ｄ）に示したように、３分割構成（符号525参照。）したりしてもよい。また、それぞれの下面当接部の形状は円弧状のものに限らず、多角形状のものでもよい。
また、前記表示部２と小径部３との間に斜面23が形成されている。前記斜面23は表示部２から小径部３まで徐々に縮径して形成された斜面であり、表示部２側を底面とし、小径部３側を上面とする円錐台の側面の一部を形成している。この斜面23が形成されていることによって、ステージへの装着が容易になる。
前記複数の凸部61、62、及び段差63、64の位置と個数は、図示した位置と個数に限定されるものではなく、ステージの孔の形状に応じて決定するものとする。また、前記複数の凸部61、62、及び段差63、64のうち、前記段差63、64を省略したり、前記凸部61、62を省略した形状も可能である。
【００１２】
第２の実施例では、図４に示したように、下面当接部は複数の楕円状の部分741に分割形成されており、これらの部分741と上面当接部との間隔は全てが同じとは限らない。この場合には、自動販売機用ダミーとステージとの位置関係が所期のものでない場合でも、何れかの部分がステージの下面に当接して支持するので、自動販売機用ダミーが安定するという効果が得られる。
【００１３】
第３の実施例では、図５に示したように、前記下面当接部は複数の半円形状の部分751に分割形成されており、これらの円弧の部分の一部がステージの孔の内縁の凹凸構造に係止される。
【００１４】
第４の実施例では、図６に示したように、前記下面当接部は複数の三角形状の部分761に分割形成されており、これらの斜辺の一部がステージの孔の内縁の凹凸構造に係止される。
【００１５】
第５の実施例では、図７に示したように、前記下面当接部は多数の小突起771から構成されており、これらの小突起の一部がステージの孔の内縁の凹凸構造に係止される。
【００１６】
第６の実施例では、図８に示したように、小径部の側面には多数の縦条781が形成されており、これらの縦条の一部がステージの孔の内縁の凹凸構造に係止される。
【００１７】
第７の実施例では、図９に示したように、右側の凸部89は、斜面891と、位置決め突起892と、位置決め面893とを備えたものとした。前記斜面891はステージの下面と当接しやすく、前記位置決め突起892および前記位置決め面893はステージの孔の内縁の凹凸構造に係止されて位置決めされやすい。
左側の凸部も、前記右側の凸部89と対称形状であって同様の構成である。
【００１８】
第８の実施例では、図１０に示したように、右側の凸部810は、上に凸の曲面8101と、位置決め突起8102と、位置決め面8103とを備えたものとした。前記曲面8101はステージの下面と当接しやすく、前記位置決め突起8102および前記位置決め面8103はステージの孔の内縁の凹凸構造に係止されて位置決めされやすい。
左側の凸部も、前記右側の凸部810と対称形状であって同様の構成である。
【００１９】
第９の実施例では、図１１に示したように、右側の凸部811は、階段状の部分8111と、位置決め突起8112と、位置決め面8113とを備えたものとした。前記階段状の部分8111はステージの下面と当接しやすく、前記位置決め突起8112および前記位置決め面8113はステージの孔の内縁の凹凸構造に係止されて位置決めされやすい。
左側の凸部も、前記右側の凸部811と対称形状であって同様の構成である。
【００２０】
なお、前記下面当接部は、図１２に示したように、断面形状が曲面（図１２（ａ）の符号521参照。）もしくは斜面（図１２（ｂ）の符号522参照。）を備えた形状とすることによって、ステージへ装着しやすくするとよい。
さらに、図１３の（ａ）、（ｂ）に示したように、上面当接部に下方へ突出した斜面421を設けて、ステージへ係止したときにぐらつかないようにしてもよい。
また、前記下面当接部は、図１４の（ａ）に示したように、傾斜面と係止凸部を備えた下面当接部82としたり、図１４の（ｂ）に示したように、上方へ盛り上がった曲面を備えた下面当接部83としたり、図１４の（ｃ）に示したように、半球状の突起と、縦長の凸条とを複数備えた下面当接部84としたりすることができる。
何れの下面当接部であっても、これらがステージの下面に当接して当該ダミーが確実に装着されるのである。
【図面の簡単な説明】
【００２１】
【図１】本発明の自動販売機用ダミーの要部の正面図である。
【図２】前記自動販売機用ダミーの要部の側面図である。
【図３】図１の底面図である。
【図４】第２の実施例の要部の正面図である。
【図５】第３の実施例の要部の正面図である。
【図６】第４の実施例の要部の正面図である。
【図７】第５の実施例の要部の正面図である。
【図８】第６の実施例の要部の正面図である。
【図９】第７の実施例の要部の側面図である。
【図１０】第８の実施例の要部の側面図である。
【図１１】第９の実施例の要部の側面図である。
【図１２】別例の下面当接部の側面図である。
【図１３】別例の下面当接部の側面図である。
【図１４】別例の下面当接部の側面図である。
【図１５】別例の下面当接部の底面図である。
【符号の説明】
【００２２】
１  自動販売機用ダミー
２  表示部
23  斜面
３  小径部
４  上面当接部
５  下面当接部
51、52、53  部分
６  凸部
61、62  凸部
63、64  段差
Ｓ  ステージ
Ｈ  装着孔
【図１】
2006323641.tif 000003
【図２】
2006323641.tif 000004
【図３】
2006323641.tif 000005
【図４】
2006323641.tif 000006
【図５】
2006323641.tif 000007
【図６】
2006323641.tif 000008
【図７】
2006323641.tif 000009
【図８】
2006323641.tif 000010
【図９】
2006323641.tif 000011
【図１０】
2006323641.tif 000012
【図１１】
2006323641.tif 000013
【図１２】
2006323641.tif 000014
【図１３】
2006323641.tif 000015
【図１４】
2006323641.tif 000016
【図１５】
2006323641.tif 000017